(57)【要約】【課題】初期特性と同等の表示を行うことができる発光装置及びその駆動制御方法並びに電子機器を提供する。【解決手段】有機ＥＬ表示装置１は、表示パネル２と、セレクトドライバ３と、電源ドライバ４と、データドライバ５と、システムコントローラ６と、電流計７と、カソード回路８とを有し、表示パネル２は、表示画素２０と画素駆動回路を有するダミー画素２１とを備え、これらを制御して、ダミー画素２１により画素駆動回路の電流経路の抵抗値を検出し、これに基づいて表示画素２０の発光素子の特性変化量を検出し、特性変化量に基づいて表示パネル２の表示画素２０を初期特性時の輝度と同等の輝度で発光させるように電圧データを補正することで、初期特性時と同等の表示がされるようにする。【選択図】図１
2012073498.tif 000002
【特許請求の範囲】
【請求項１】
少なくとも一つの第１の選択ラインと、
少なくとも一つの第２の選択ラインと、
少なくとも一つのデータラインと、
前記第１の選択ライン及び前記データラインに接続される画素駆動回路と、一端側が前記画素駆動回路に接続される発光素子と、を備える少なくとも一つの発光画素と、
前記第２の選択ライン及び前記データラインに接続される、前記画素駆動回路を備える、少なくとも一つのダミー画素と、
前記第１の選択ライン及び前記第２の選択ラインに、前記表示画素及び前記ダミー画素を選択状態とする走査信号を印加するセレクトドライバと、
前記データラインに、選定された電圧値の電圧を印加するデータドライバと、
前記発光画素の前記画素駆動回路及び前記ダミー画素の前記画素駆動回路の電源端子に駆動電圧を供給する電源ドライバと、
前記発光素子の他端側及び前記ダミー画素の前記画素駆動回路に一端が接続される電流計と、
前記電流計の他端の電位を設定する電位設定回路と、
を備え、
前記電源ドライバ及び前記電位設定回路により前記駆動電圧の電位と前記電流計の他端の電位とを設定して、前記駆動電圧と前記電流計の他端との電位差が、前記画素駆動回路の前記電源端子と前記発光素子の前記他端との間に電流が流れない値に設定され、前記ダミー画素が前記選択状態とされたとき、前記電流計は、前記データドライバから、前記データラインと、前記ダミー画素の前記画素駆動回路と、を介して流れる第１の電流の電流値を測定し、
前記電源ドライバ及び前記電位設定回路により前記駆動電圧と前記電流計の他端との電位差が、前記画素駆動回路の前記電源端子と前記発光素子の前記他端との間に電流が流れない値に設定され、前記表示画素が前記選択状態とされたとき、前記電流計は、前記データドライバから、前記データラインと、前記選択状態とされた前記発光画素の前記画素駆動回路と、前記発光素子と、を介して流れる第２の電流の電流値を測定することを特徴とする発光装置。
【請求項２】
前記第１の電流の電流値に基づいて、前記画素駆動回路の前記第１の電流が流れる経路の抵抗成分の抵抗値を取得し、
前記第２の電流の電流値と前記抵抗値とに基づいて、前記第２の電流の電流値を測定したときの、前記発光素子に印加されている印加電圧の電圧値を取得し、
前記印加電圧の電圧値と前記第２の電流の電流値とに基づいて前記発光素子の発光輝度の該発光素子が初期特性を有しているときの初期の発光輝度に対する比率を示す、発光効率を取得する発光効率取得部を備えることを特徴とする請求項１に記載の発光装置。
【請求項３】
前記データドライバは、
前記発光効率取得部と、
前記発光効率取得部が取得した前記発光効率に基づいて、外部から供給される画像データに応じた電圧データを補正した補正電圧データを生成する補正演算部と、
を備えることを特徴とする請求項２に記載の発光装置。
【請求項４】
前記発光画素を複数有し、
前記電位設定回路は、前記発光効率の取得を行う際に前記電流計の他端を第１の電位に設定し、
前記データドライバは、
前記発光効率の取得を行う際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに、前記第１の電位と同電位の第２の電圧を印加し、
前記抵抗値を取得する際に、前記ダミー画素に接続される前記データラインに前記第１の電圧を印加することを特徴とする請求項２又は３に記載の発光装置。
【請求項５】
前記複数の発光画素は複数の行及び複数の列に沿って２次元配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された前記画素のみを前記選択状態とし、
前記データドライバは、前記発光効率の取得を行う際に、前記複数のデータラインのうちの一つの特定のデータラインに前記第１の電圧を印加し、前記特定のデータラインを除く他の前記データラインに前記第２の電圧を印加し、
前記発光効率の取得は、前記複数の画素のうちの一つの画素に対して行われることを特徴とする請求項４に記載の発光装置。
【請求項６】
前記複数の発光画素は複数の行及び複数の列に沿って２次元配設され、前記選択ラインは前記複数の行に沿って複数配設され、前記データラインは前記複数の列に沿って複数配設され、
前記ダミー画素を複数有し、前記各ダミー画素は、前記行方向に沿って配設されて前記各データラインに接続され、
前記抵抗値の取得は、前記複数のダミー画素に電流を同時に流し、前記電流計は、前記複数のダミー画素の各々に流れる電流の総計となる総電流を測定し、前記総電流の電流値の一つの前記ダミー画素当たりの平均値を前記第１の電流の電流値として取得し、取得した前記平均値に基づいて前記抵抗値を取得することを特徴とする請求項４に記載の発光装置。
【請求項７】
前記画素駆動回路は、一端に前記駆動電圧が印加され、他端が前記発光素子の前記一端側に接続される第１の電流路と、前記選択ラインに接続される第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記ダミー画素においては、前記データドライバより前記データラインに前記第１の電圧が印加されたとき、前記データドライバから、前記データラインと、前記選択状態とされた前記画素の前記画素駆動回路の前記第２のトランジスタの前記第２の電流路と、を介して前記電流計に前記第１の電流が流れ、
前記発光画素においては、前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に前記第２の電流が流れることを特徴とする請求項４乃至６の何れか１項に記載の発光装置。
【請求項８】
発光装置の駆動制御方法であって、
少なくとも一つの第１の選択ラインと、少なくとも一つの第２の選択ラインと、少なくとも一つのデータラインと、前記第１の選択ライン及び前記データラインに接続される画素駆動回路と、一端側が前記画素駆動回路に接続される発光素子と、を備える少なくとも一つの発光画素と、前記第２の選択ライン及び前記データラインに接続される、前記画素駆動回路を備える、少なくとも一つのダミー画素と、前記第１の選択ライン及び前記第２の選択ラインに、前記表示画素及び前記ダミー画素を選択状態とする走査信号を印加するセレクトドライバと、前記データラインに、選定された電圧値の電圧を印加するデータドライバと、前記発光画素の前記画素駆動回路及び前記ダミー画素の前記画素駆動回路の電源端子に駆動電圧を供給する電源ドライバと、前記発光素子の他端側及び前記ダミー画素の前記画素駆動回路に一端が接続される電流計と、を備える前記発光装置を準備するステップと、
前記電源ドライバから供給する前記駆動電圧の電位と前記電流計の他端の電位とを設定して、前記駆動電圧と前記電流計の他端との電位差を、前記画素駆動回路の前記電源端子と前記発光素子の前記他端との間に電流が流れない値に設定する電位設定ステップと、
前記セレクトドライバにより前記ダミー画素を前記選択状態とするダミー画素選択ステップと、
前記電位設定ステップにより前記駆動電圧と前記電流計の他端との電位を設定した状態で、前記データドライバから、前記データラインと、前記ダミー画素選択ステップにより前記選択状態とされた前記ダミー画素の前記画素駆動回路と、を介して流れる第１の電流の電流値を前記電流計により測定する第１電流測定ステップと、
前記セレクトドライバにより前記発光画素を前記選択状態とする発光画素選択ステップと、
前記電位設定ステップにより前記駆動電圧と前記電流計の他端とを第１の電位に設定した状態で、前記データドライバから、前記データラインと、前記発光画素選択ステップにより前記選択状態とされた前記発光画素の前記画素駆動回路と、前記発光素子と、を介して流れる第２の電流の電流値を前記電流計により測定する第２電流測定ステップと、
を含むことを特徴とする発光装置の駆動制御方法。
【請求項９】
前記第１電流測定ステップは、前記第１の電流の電流値に基づいて、前記画素駆動回路の前記第１の電流が流れる経路の抵抗成分の抵抗値を取得する抵抗値取得ステップを含み、
前記第２電流測定ステップは、前記第２の電流の電流値と前記抵抗値とに基づいて、前記第２の電流の電流値を測定したときの、前記発光素子に印加されている印加電圧の電圧値を取得する印加電圧取得ステップと、前記印加電圧の電圧値と前記第２の電流の電流値とに基づいて前記発光素子の発光輝度の該発光素子が初期特性を有しているときの初期の発光輝度に対する比率を示す、発光効率を取得する発光効率取得ステップと、を含むことを特徴とする請求項８に記載の発光装置の駆動制御方法。
【請求項１０】
前記発光装置は前記画素を複数有し、
前記電位設定ステップは、前記電流計の他端を第１の電位に設定し、
前記発光効率取得ステップは、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位の第２の電圧を印加する第１電圧印加ステップを含み、
前記抵抗値取得ステップは、前記ダミー画素に接続される前記データラインに前記第１の電圧を印加する第２電圧印加ステップを含むことを特徴とする請求項９に記載の発光装置の駆動制御方法。
【請求項１１】
前記発光装置において、前記複数の画素は複数の行及び複数の列に沿って２次元配設され、前記選択ラインは前記複数の行に沿って複数配設され、前記データラインは前記複数の列に沿って複数配設されており、
前記発光画素選択ステップは、前記発光効率取得ステップを実行する際に、前記複数の選択ラインのうちの一つの特定の選択ラインに接続された前記発光画素のみを前記選択状態とし、
前記第１電圧印加ステップは、前記発光効率取得ステップを実行する際に、前記データドライバより、前記複数のデータラインのうちの一つの特定のデータラインに前記第１の電圧を印加し、前記特定のデータラインを除く他の前記データラインに前記第２の電圧を印加し、
前記発光効率取得ステップにおける前記発光効率の取得は、前記複数の画素のうちの一つの画素に対して行われることを特徴とする請求項１０に記載の発光装置の駆動制御方法。
【請求項１２】
前記発光装置は前記ダミー画素を複数有し、前記複数の画素は複数の行及び複数の列に沿って２次元配設され、前記選択ラインは前記複数の行に沿って複数配設され、前記データラインは前記複数の列に沿って複数配設されており、前記複数の発光画素は複数の行と複数の列に沿って配列され、前記各ダミー画素は前記行方向に沿って配列され、
前記抵抗値取得ステップは、前記複数のダミー画素に電流を同時に流し、前記電流計により、前記複数のダミー画素の各々に流れる電流の総計となる総電流を測定する総電流測定ステップと、前記総電流の電流値の一つの前記ダミー画素当たりの平均値を前記第１の電流の電流値として取得する平均値取得ステップと、前記平均値に基づいて前記抵抗値を取得する平均抵抗値取得ステップと、を含むことを特徴とする請求項１０に記載の発光装置の駆動制御方法。
【請求項１３】
請求項１乃至７のいずれか１項に記載の発光装置が実装されてなることを特徴とする電子機器。
【発明の詳細な説明】
【技術分野】
【０００１】
本発明は、発光装置及びその駆動制御方法並びに電子機器に関し、特に、画素に画像データに応じて発光する発光素子を備える発光装置及びその駆動制御方法、並びに、該発光装置を実装した電子機器に関する。
【背景技術】
【０００２】
有機ＥＬ素子、無機ＥＬ素子又はＬＥＤ等の発光素子がマトリクス（行列）状に配列されて、各発光素子が発光することによって表示を行う発光素子型ディスプレイ（発光装置）が知られている。
【０００３】
発光素子型ディスプレイは、高輝度、高コントラスト、高精細、低電力等の点で、優位性を有しており、特に、有機ＥＬ素子が注目されている。
【０００４】
有機ＥＬ素子を画素に有する発光装置として、有機ＥＬ素子に印加する電圧を制御することにより、所望の発光輝度を得るようにした有機ＥＬ表示装置がある。
【０００５】
ここで、有機ＥＬ素子は、経時劣化により高抵抗化するとともに発光効率が低下することが知られている。このため、同一の電圧を印加した場合には、有機ＥＬ素子を流れる電流が時間の経過と共に減少し、発光輝度が低下する。このため、有機ＥＬ表示装置を使い続けると、発光輝度が次第に低下して画像が徐々に暗くなり、表示品位が徐々に低下してしまう。
【０００６】
この問題に関し、有機ＥＬ素子を流れる電流の変動を補償する補償回路が、特許文献１に提案されている。
【先行技術文献】
【特許文献】
【０００７】
【特許文献１】特開２００９−２４４６５４号公報
【発明の概要】
【発明が解決しようとする課題】
【０００８】
特許文献１に記載の補償回路は、経時劣化が生じても初期特性での発光輝度が得られるようにするために、発光素子に定電流を流し、そのときの、発光素子の端子間電圧を検定し、検定電圧に基づいて、発光素子に印加する電圧を補正する。
特許文献１に記載の手法は、高い効果はあるもの、データラインに定電流を流す必要があり、回路構成及び制御が複雑である。また、検定された端子間電圧に基づいて、印加電圧を補正しても、所望の電流が画素に流れるとは限らない。
また、表示装置の画素を構成するトランジスタも、経時劣化により特性が変化することがあるため、所望の電流を画素に流して初期特性の輝度により近い表示をする表示装置を実現するためには、画素を構成するトランジスタの特性も計測して、それに基づく補正を行う必要があるが、特許文献１に記載の手法ではこれについては全く考慮されていなかった。
【０００９】
本発明は、上記実情に鑑みてなされたものであり、初期特性と同等の表示を行うことができる発光装置及びその駆動制御方法、並びに、該発光装置を実装した電子機器を提供することを目的とする。
【課題を解決するための手段】
【００１０】
本発明の第１の観点に係る発光装置は、
少なくとも一つの第１の選択ラインと、
少なくとも一つの第２の選択ラインと、
少なくとも一つのデータラインと、
前記第１の選択ライン及び前記データラインに接続される画素駆動回路と、一端側が前記画素駆動回路に接続される発光素子と、を備える少なくとも一つの発光画素と、
前記第２の選択ライン及び前記データラインに接続される、前記画素駆動回路を備える、少なくとも一つのダミー画素と、
前記第１の選択ライン及び前記第２の選択ラインに、前記表示画素及び前記ダミー画素を選択状態とする走査信号を印加するセレクトドライバと、
前記データラインに、選定された電圧値の電圧を印加するデータドライバと、
前記発光画素の前記画素駆動回路及び前記ダミー画素の前記画素駆動回路の電源端子に駆動電圧を供給する電源ドライバと、
前記発光素子の他端側及び前記ダミー画素の前記画素駆動回路に一端が接続される電流計と、
前記電流計の他端の電位を設定する電位設定回路と、
を備え、
前記電源ドライバ及び前記電位設定回路により前記駆動電圧の電位と前記電流計の他端の電位とを設定して、前記駆動電圧と前記電流計の他端との電位差が、前記画素駆動回路の前記電源端子と前記発光素子の前記他端との間に電流が流れない値に設定され、前記ダミー画素が前記選択状態とされたとき、前記電流計は、前記データドライバから、前記データラインと、前記ダミー画素の前記画素駆動回路と、を介して流れる第１の電流の電流値を測定し、
前記電源ドライバ及び前記電位設定回路により前記駆動電圧と前記電流計の他端との電位差が、前記画素駆動回路の前記電源端子と前記発光素子の前記他端との間に電流が流れない値に設定され、前記表示画素が前記選択状態とされたとき、前記電流計は、前記データドライバから、前記データラインと、前記選択状態とされた前記発光画素の前記画素駆動回路と、前記発光素子と、を介して流れる第２の電流の電流値を測定することを特徴とする。
【００１１】
前記第１の電流の電流値に基づいて、前記画素駆動回路の前記第１の電流が流れる経路の抵抗成分の抵抗値を取得し、
前記第２の電流の電流値と前記抵抗値とに基づいて、前記第２の電流の電流値を測定したときの、前記発光素子に印加されている印加電圧の電圧値を取得し、
前記印加電圧の電圧値と前記第２の電流の電流値とに基づいて前記発光素子の発光輝度の該発光素子が初期特性を有しているときの初期の発光輝度に対する比率を示す、発光効率を取得する発光効率取得部を備えてもよい。
【００１２】
前記データドライバは、
前記発光効率取得部と、
前記発光効率取得部が取得した前記発光効率に基づいて、外部から供給される画像データに応じた電圧データを補正した補正電圧データを生成する補正演算部と、
を備えてもよい。
【００１３】
前記発光画素を複数有し、
前記電位設定回路は、前記発光効率の取得を行う際に前記電流計の他端を第１の電位に設定し、
前記データドライバは、
前記発光効率の取得を行う際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに、前記第１の電位と同電位の第２の電圧を印加し、
前記抵抗値を取得する際に、前記ダミー画素に接続される前記データラインに前記第１の電圧を印加してもよい。
【００１４】
前記複数の発光画素は複数の行及び複数の列に沿って２次元配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された前記画素のみを前記選択状態とし、
前記データドライバは、前記発光効率の取得を行う際に、前記複数のデータラインのうちの一つの特定のデータラインに前記第１の電圧を印加し、前記特定のデータラインを除く他の前記データラインに前記第２の電圧を印加し、
前記発光効率の取得は、前記複数の画素のうちの一つの画素に対して行われてもよい。
【００１５】
前記複数の発光画素は複数の行及び複数の列に沿って２次元配設され、前記選択ラインは前記複数の行に沿って複数配設され、前記データラインは前記複数の列に沿って複数配設され、
前記ダミー画素を複数有し、前記各ダミー画素は、前記行方向に沿って配設されて前記各データラインに接続され、
前記抵抗値の取得は、前記複数のダミー画素に電流を同時に流し、前記電流計は、前記複数のダミー画素の各々に流れる電流の総計となる総電流を測定し、前記総電流の電流値の一つの前記ダミー画素当たりの平均値を前記第１の電流の電流値として取得し、取得した前記平均値に基づいて前記抵抗値を取得してもよい。
【００１６】
前記画素駆動回路は、一端に前記駆動電圧が印加され、他端が前記発光素子の前記一端側に接続される第１の電流路と、前記選択ラインに接続される第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記ダミー画素においては、前記データドライバより前記データラインに前記第１の電圧が印加されたとき、前記データドライバから、前記データラインと、前記選択状態とされた前記画素の前記画素駆動回路の前記第２のトランジスタの前記第２の電流路と、を介して前記電流計に前記第１の電流が流れ、
前記発光画素においては、前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に前記第２の電流が流れてもよい。
【００１７】
本発明の第２の観点に係る発光装置の駆動制御方法は、
少なくとも一つの第１の選択ラインと、少なくとも一つの第２の選択ラインと、少なくとも一つのデータラインと、前記第１の選択ライン及び前記データラインに接続される画素駆動回路と、一端側が前記画素駆動回路に接続される発光素子と、を備える少なくとも一つの発光画素と、前記第２の選択ライン及び前記データラインに接続される、前記画素駆動回路を備える、少なくとも一つのダミー画素と、前記第１の選択ライン及び前記第２の選択ラインに、前記表示画素及び前記ダミー画素を選択状態とする走査信号を印加するセレクトドライバと、前記データラインに、選定された電圧値の電圧を印加するデータドライバと、前記発光画素の前記画素駆動回路及び前記ダミー画素の前記画素駆動回路の電源端子に駆動電圧を供給する電源ドライバと、前記発光素子の他端側及び前記ダミー画素の前記画素駆動回路に一端が接続される電流計と、を備える前記発光装置を準備するステップと、
前記電源ドライバから供給する前記駆動電圧の電位と前記電流計の他端の電位とを設定して、前記駆動電圧と前記電流計の他端との電位差を、前記画素駆動回路の前記電源端子と前記発光素子の前記他端との間に電流が流れない値に設定する電位設定ステップと、
前記セレクトドライバにより前記ダミー画素を前記選択状態とするダミー画素選択ステップと、
前記電位設定ステップにより前記駆動電圧と前記電流計の他端との電位を設定した状態で、前記データドライバから、前記データラインと、前記ダミー画素選択ステップにより前記選択状態とされた前記ダミー画素の前記画素駆動回路と、を介して流れる第１の電流の電流値を前記電流計により測定する第１電流測定ステップと、
前記セレクトドライバにより前記発光画素を前記選択状態とする発光画素選択ステップと、
前記電位設定ステップにより前記駆動電圧と前記電流計の他端とを第１の電位に設定した状態で、前記データドライバから、前記データラインと、前記発光画素選択ステップにより前記選択状態とされた前記発光画素の前記画素駆動回路と、前記発光素子と、を介して流れる第２の電流の電流値を前記電流計により測定する第２電流測定ステップと、
を含んでもよい。
【００１８】
前記第１電流測定ステップは、前記第１の電流の電流値に基づいて、前記画素駆動回路の前記第１の電流が流れる経路の抵抗成分の抵抗値を取得する抵抗値取得ステップを含み、
前記第２電流測定ステップは、前記第２の電流の電流値と前記抵抗値とに基づいて、前記第２の電流の電流値を測定したときの、前記発光素子に印加されている印加電圧の電圧値を取得する印加電圧取得ステップと、前記印加電圧の電圧値と前記第２の電流の電流値とに基づいて前記発光素子の発光輝度の該発光素子が初期特性を有しているときの初期の発光輝度に対する比率を示す、発光効率を取得する発光効率取得ステップと、を含んでもよい。
【００１９】
前記発光装置は前記画素を複数有し、
前記電位設定ステップは、前記電流計の他端を第１の電位に設定し、
前記発光効率取得ステップは、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位の第２の電圧を印加する第１電圧印加ステップを含み、
前記抵抗値取得ステップは、前記ダミー画素に接続される前記データラインに前記第１の電圧を印加する第２電圧印加ステップを含んでもよい。
【００２０】
前記発光装置において、前記複数の画素は複数の行及び複数の列に沿って２次元配設され、前記選択ラインは前記複数の行に沿って複数配設され、前記データラインは前記複数の列に沿って複数配設されており、
前記発光画素選択ステップは、前記発光効率取得ステップを実行する際に、前記複数の選択ラインのうちの一つの特定の選択ラインに接続された前記発光画素のみを前記選択状態とし、
前記第１電圧印加ステップは、前記発光効率取得ステップを実行する際に、前記データドライバより、前記複数のデータラインのうちの一つの特定のデータラインに前記第１の電圧を印加し、前記特定のデータラインを除く他の前記データラインに前記第２の電圧を印加し、
前記発光効率取得ステップにおける前記発光効率の取得は、前記複数の画素のうちの一つの画素に対して行われてもよい。
【００２１】
前記発光装置は前記ダミー画素を複数有し、前記複数の画素は複数の行及び複数の列に沿って２次元配設され、前記選択ラインは前記複数の行に沿って複数配設され、前記データラインは前記複数の列に沿って複数配設されており、前記複数の発光画素は複数の行と複数の列に沿って配列され、前記各ダミー画素は前記行方向に沿って配列され、
前記抵抗値取得ステップは、前記複数のダミー画素に電流を同時に流し、前記電流計により、前記複数のダミー画素の各々に流れる電流の総計となる総電流を測定する総電流測定ステップと、前記総電流の電流値の一つの前記ダミー画素当たりの平均値を前記第１の電流の電流値として取得する平均値取得ステップと、前記平均値に基づいて前記抵抗値を取得する平均抵抗値取得ステップと、を含んでもよい。
【００２２】
本発明の第３の観点に係る電子機器は、
前記発光装置のいずれかが実装されてなることを特徴とする。
【発明の効果】
【００２３】
本発明によれば、初期特性と同等の表示を行うことができる発光装置及びその駆動制御方法並びに電子機器を提供することができる。
【図面の簡単な説明】
【００２４】
【図１】本発明の有機ＥＬ表示装置の構成の一例を示す図である。
【図２】セレクトラインに順次出力される走査信号と電源ラインに順次出力される電圧の一例を示す図である。
【図３】本発明のデータドライバの構成の一例を示す図である。
【図４】（ａ）は、検出電流の変化率−発光効率の関係の一例を示す図であり、（ｂ）は、検出電流の変化率−発光効率の関係の一例を示す表であり、（ｃ）は、有機ＥＬ素子の電圧−電流の関係の一例を示す図である。
【図５】本発明の実施形態におけるトランジスタ抵抗工程取得動作の一例を示す図である。
【図６】本発明の実施形態の発光効率取得動作における走査信号とデータラインに順次出力される電圧の一例を示す図である。
【図７】本発明の実施形態における発光効率取得動作の一例を示す図である。
【図８】本発明の実施形態における発光効率取得動作の一例を示す図である。
【図９】（ａ）は、本発明の表示動作時における画素駆動回路の各部の電圧または電流の一例を示す図であり、（ｂ）は、本発明の発光効率抽出動作時における画素駆動回路の各部の電圧または電流の一例を示す図であり、（ｃ）は、本発明の画素駆動回路を駆動させるための電源構成の一例を示す図である。
【図１０】（ａ）は、本発明に係る有機ＥＬ表示装置を適用したデジタルカメラの構成例を示す正面斜視図であり、（ｂ）は、本発明に係る有機ＥＬ表示装置を適用したデジタルカメラの構成例を示す背面斜視図である。
【図１１】本発明に係る有機ＥＬ表示装置を適用したパーソナルコンピュータの構成例を示す斜視図である。
【図１２】本発明に係る有機ＥＬ表示装置を適用した携帯電話機の構成例を示す図である。
【発明を実施するための形態】
【００２５】
以下に、本発明の実施形態に係る有機ＥＬ表示装置（発光装置）１について説明する。有機ＥＬ表示装置１は、図１に示すように、表示パネル２と、セレクトドライバ３と、電源ドライバ４と、データドライバ５と、システムコントローラ６と、電流計７と、カソード回路８とを有している。
【００２６】
表示パネル２は、ｎ−１行ｍ列のマトリクス状に配置された表示画素（発光画素）２０（１，１）〜２０（ｎ−１，ｍ）と、ｎ行目に配置された１行ｍ列のダミー画素２１（２１（ｎ，１）〜２１（ｎ，ｍ）と、行方向（図１の左右方向）に延び、列方向に配列されている複数のセレクトライン（選択ライン）Ｌｓ１〜Ｌｓｎおよび電源ラインＬｖ１〜Ｌｖｎと、列方向（図１の上下方向）に延び、行方向に配列されている複数のデータラインＬｄ１〜Ｌｄｍとを有している。
【００２７】
表示画素２０（ｉ，ｊ）（ｉ＝１〜ｎ−１，ｊ＝１〜ｍ）およびダミー画素２１（ｉ，ｊ）（ｉ＝ｎ，ｊ＝１〜ｍ）は、セレクトラインＬｓｉとデータラインＬｄｊの交点の近傍に配置され、同一行のセレクトラインＬｓｉと電源ラインＬｖｉと同一列のデータラインＬｄｊに接続されている。表示画素２０（ｉ，ｊ）（ｉ＝１〜ｎ−１，ｊ＝１〜ｍ）はセレクトラインＬｓ１〜Ｌｓｎ−１に接続され、ダミー画素２１（ｉ，ｊ）（ｉ＝ｎ，ｊ＝１〜ｍ）はセレクトラインＬｓｎに接続されている。ここで、セレクトラインＬｓ１〜Ｌｓｎ−１は、本発明の第１の選択ラインに対応し、セレクトラインＬｓｎは、本発明の第２の選択ラインに対応する。
なお、本実施形態において、ダミー画素２１は一つのセレクトラインＬｓｎに接続されて設けられているものとしたが、本発明はこれに限るものではなく、複数のセレクトラインに接続されるように設けられているものであってもよい。
【００２８】
表示画素２０（ｉ，ｊ）は、画素駆動回路２０Ｄと有機ＥＬ素子ＯＥＬとから構成されている。
【００２９】
表示画素２０（ｉ，ｊ）の画素駆動回路２０Ｄは、トランジスタＴ２１〜Ｔ２３とコンデンサＣ１とを含む。
【００３０】
トランジスタＴ２１〜Ｔ２３は、アモルファスシリコンまたはポリシリコンを用いたｎチャネル型ＴＦＴ（薄膜トランジスタ：Ｔｈｉｎ  Ｆｉｌｍ  Ｔｒａｎｓｉｓｔｏｒ）である。
【００３１】
トランジスタＴ２１は、ゲートがセレクトラインＬｓｉに接続され、ドレインがノードＮ２２に接続され、ソースが電源ラインＬｖｉと発光駆動トランジスタＴ２３のソースに接続されている。
トランジスタＴ２２は、ゲートがセレクトラインＬｓｉに接続され、ソースがデータラインＬｄｊに接続され、ドレインがノードＮ２１に接続されている。
トランジスタＴ２３は、ゲートがノードＮ２２に接続され、ドレインがノードＮ２１に接続され、ソースが電源ラインＬｖｊと第１入力トランジスタＴ２１のソースに接続されている。ここで、電源ラインＬｖｊに接続されるトランジスタＴ２１のソース及びトランジスタＴ２３ソースは、本発明の電源端子に対応する。
【００３２】
また、コンデンサＣ１は、ノードＮ２２とノードＮ２１の間、すなわち、トランジスタＴ２３のゲートとドレインの間に接続されている。
【００３３】
有機ＥＬ素子ＯＥＬは、アノード電極と、カソード電極と、これらの電極間に形成された電子注入層、発光層、正孔注入層、等を備える。有機ＥＬ素子ＯＥＬのアノード電極は、ノードＮ２１に接続され、カソード電極は、全ての画素に共通の電流計７の一端に接続されている。
【００３４】
ダミー画素２１は、画素駆動回路２０Ｄのみから構成されており、発光画素２０に対して有機ＥＬ素子ＯＥＬがない構造となっている。すなわち、トランジスタＴ２１〜Ｔ２３とコンデンサＣ１のみから構成されている。
なお、表示画素２０では、トランジスタＴ２２のドレインおよびトランジスタＴ２３のドレインが接続されているノードＮ２１は有機ＥＬ素子ＯＥＬのアノード電極に接続されているが、ダミー画素２１では、トランジスタＴ２２のドレインおよびトランジスタＴ２３のドレインが接続されているノードＮ２１は電流計７の一端に接続されている。
【００３５】
セレクトドライバ３は、表示画素２０またはダミー画素２１の行（以下、画素行とする）を選択して、表示画素２０、ダミー画素２１を選択状態とするための回路であり、表示動作時（発光動作時）および後述する発光効率取得動作時に、図２（Ａ）〜図２（Ｄ）に示すように、セレクトラインＬｓ１〜Ｌｓｎに、対応する画素行の選択期間ｔｓの間には、高電位のハイレベル電圧Ｖｈｉｇｈ（選択レベル）となり、それ以外の期間（非選択期間：発光期間）には低電位のロウレベル電圧Ｖｌｏｗ（非選択レベル）となる走査信号を順次出力し、後述するトランジスタ抵抗取得動作時に、セレクトラインＬｓｎに、高電位のハイレベル電圧Ｖｈｉｇｈ（選択レベル）となる走査信号を出力する。
【００３６】
図１に示す電源ドライバ４は、表示動作時（発光動作時）には、図２（Ｅ）〜（Ｈ）に示すように、各選択期間ｔｓにおいて、選択レベルの走査信号が印加されたセレクトラインＬｓ１〜Ｌｓｎに対応する画素行に接続された電源ラインＬｖ１〜Ｌｖｎに基準電圧Ｖｓｓ（例えば、接地電位ＧＮＤ＝０Ｖ）を順次出力し、それ以外の期間、基準電圧Ｖｓｓより高いレベルの電源電圧Ｖｃｃを出力する。
【００３７】
また、電源ドライバ４は、後述するトランジスタ抵抗取得動作時および発光効率取得動作時には、全ての電源ラインＬｖ１〜Ｌｖｎに共通電圧Ｖｃｏｍ（例えば、−１０Ｖ）を印加する機能を備える。
【００３８】
図１に示すデータドライバ５は、表示動作時に、デ−タラインＬｄ１〜Ｌｄｍに、表示画像の各画素の表示階調に対応するアナログ表示信号を印加する。
【００３９】
一方、データドライバ５は、後述する発光効率取得動作時およびトランジスタ抵抗取得動作時には、データラインＬｄ１〜Ｌｄｍに設定電圧Ｖｄ（例えば、−３Ｖ）又は、共通電圧Ｖｃｏｍ（例えば、−１０Ｖ）の何れかの電圧を印加する。
【００４０】
具体的に説明すると、データドライバ５は、図３に示すように、シフトレジスタ回路５０と、データレジスタ回路５１と、データラッチ回路５２と、補正演算部５３と、デジタル電圧／アナログ電圧変換回路（ＤＡＣ）５４と、出力回路５５と、アナログ電圧／デジタル電圧変換回路（ＡＤＣ）５６と、発光効率取得部５７と、メモリ５８とを有している。
【００４１】
シフトレジスタ回路５０は、表示動作時には、サンプリングスタート信号ＳＴＲをシフトクロック信号ＣＬＫに基づいて順次シフトして、シフト信号をデータレジスタ回路５１に供給する。
【００４２】
データレジスタ回路５１は、シフトレジスタ回路５０から供給されるシフト信号に応じたタイミングで、各画素の表示階調を指示する画像データＤ１〜Ｄｍを順次取り込む。なお、画像データは８ビットのデジタル信号であるとする。この場合、有機ＥＬ素子ＯＥＬの発光の階調は２５６階調である。
【００４３】
データラッチ回路５２は、データラッチ信号ＳＴＢが供給されると、データレジスタ回路５１に取り込まれている１画素行分の画像データＤ１〜Ｄｍをラッチして、保持する。
【００４４】
補正演算部５３は、データラッチ回路５２に保持されている画像データＤ１〜Ｄｍを読み出して、画像データに応じた発光輝度を得るためにデ−タラインＬｄ１〜Ｌｄｍに印加すべき電圧値を示す電圧データに変換する。そして、補正演算部５３は、現状の劣化した有機ＥＬ素子ＯＥＬが、所望の輝度で発光できるように、メモリ５８に格納されている発光効率ηとトランジスタＴ２２のソース−ドレイン間の抵抗Ｒとを用いて電圧デ−タを補正して、補正電圧データを生成する。補正の内容については、後述する。
【００４５】
ＤＡＣ５４は、補正演算部５３が算出した電圧デ−タをアナログ電圧に変換する。
【００４６】
出力回路５５は、表示動作時には、ＤＡＣ５４から供給されたアナログ電圧を各データラインＬｄ１〜Ｌｄｍに出力する。
【００４７】
一方、出力回路５５は、後述するトランジスタ抵抗取得動作時および発光効率取得動作時には、第１行のデータラインＬｄ１〜Ｌｄｍに設定電圧Ｖｄ（例えば、−３Ｖ）又は共通電圧Ｖｃｏｍ（例えば、−１０Ｖ）の何れかの電圧を印加する。
【００４８】
ＡＤＣ５６は、後述する発光効率取得動作時には、有機ＥＬ素子ＯＥＬに所定の電圧が印加されたときに、電流計７が測定した電流をデジタル信号に変換して発光効率取得部５７に供給し、後述するトランジスタ抵抗取得動作時には、ダミー画素２１（ｎ，１）〜２１（ｎ，ｍ）に所定の電圧が印加されたときに、電流計７が測定した電流をデジタル信号に変換して発光効率取得部５７に供給する。
【００４９】
発光効率取得部５７は、抵抗値テーブルと電圧値テーブルと発光効率テーブルとをルックアップテーブルとして有している。
抵抗値テーブルは、ダミー画素２１のトランジスタＴ２２のソース・ドレイン間に所定の測定電圧Ｖｍ（例えば７Ｖ）を印加したときに流れる測定電流Ｉｍと、トランジスタＴ２２のソース−ドレイン間（抵抗成分）の抵抗値ＲＴ（すなわち、測定電圧Ｖｍ／Ｉｍを計算した値）の値との対応関係を記憶している。
電圧値テーブルは、抵抗値ＲＴの値をパラメータとした、有機ＥＬ素子ＯＥＬとトランジスタＴ２２との直列回路に測定電圧Ｖｍを印加したときに流れる検出電流Ｉｄと、有機ＥＬ素子ＯＥＬに印加される印加電圧Ｖｅｌ（すなわち、測定電圧Ｖｍ−（トランジスタＴ２２のソース−ドレイン間の電圧降下ＶＴ＝ＲＴ×Ｉｄ）を計算した値）の電圧値との対応関係を記憶している。
発光効率テーブルは、例えば図４（ｂ）に示すような、有機ＥＬ素子ＯＥＬに電圧ＶＦが印加されたときに有機ＥＬ素子ＯＥＬに流れる検出電流Ｉｄの電流値の変化率と発光効率ηとの関係を記憶している。検出電流Ｉｄの電流値の変化率は、図４（ｃ）に示すような、初期状態の有機ＥＬ素子ＯＥＬに電圧ＶＦを印加したときに流れる電流を初期電流ＩＦとしたときの、検出電流Ｉｄの初期電流ＩＦに対する電流値の比率であって、検出電流Ｉd／初期電流ＩＦの計算値である。また、発光効率ηは、有機ＥＬ素子ＯＥＬに一定の電流を流したときの有機ＥＬ素子ＯＥＬの発光輝度の、初期状態の有機ＥＬ素子ＯＥＬの発光輝度を１としたときの相対値であり、発光効率ηは上記の有機ＥＬ素子ＯＥＬの高抵抗化による検出電流Ｉdの電流値の減少に伴って、図４（ａ）に示すように低下する。したがって、初期状態と同等の発光輝度を得るためには、有機ＥＬ素子ＯＥＬに流す電流の電流値を１／η倍に増加させる必要がある。そして、発光効率取得部５７は、これらを参照して、トランジスタＴ２２のソース−ドレイン間の抵抗ＲＴや、発光効率η（１，１）〜η（ｎ−１，ｍ）を取得する。
【００５０】
ここで、初期電流ＩＦは、例えば、表示パネル２の製造後の工場出荷時に、有機ＥＬ素子ＯＥＬに電圧を印加したときの有機ＥＬ素子ＯＥＬに流れる電流の電流値を、印加する電圧を変えて測定して、図４（ｃ）の初期特性に示すような特性曲線を記憶させておくものであってもよいし、表示パネル２の設計値に基づいて予め設定された、有機ＥＬ素子ＯＥＬの印加電圧と有機ＥＬ素子ＯＥＬに流れる電流との関係を記憶させておくものであってもよい。
【００５１】
メモリ５８は、トランジスタＴ２２のソース−ドレイン間における抵抗Ｒや、発光効率取得部５７が取得した発光効率η（１，１）〜η（ｎ−１，ｍ）やそれらの関係を記憶している。
【００５２】
システムコントローラ６は、セレクトドライバ３，電源ドライバ４，データドライバ５，カソード回路８に制御信号を供給して、有機ＥＬ表示装置１全体の動作を制御する。
システムコントローラ６が実行する制御内容の詳細は後述する。
【００５３】
電流計７は、一端（電流流入端）が、表示画素２０（２０（１，１）〜２０（ｎ−１，ｍ））の有機ＥＬ素子ＯＥＬのカソード電極とダミー画素２１（ｎ，１）〜２１（ｎ，ｍ）のトランジスタＴ２２のドレインとに接続されたカソードラインＬｃに接続され、全画素に流れる電流を測定する。
【００５４】
カソード回路８は、電流計７の他端（電流流出端）に接続され、スイッチ１３１を備え、スイッチ１３１の切り替えに従って、電流計７の他端に基準電圧Ｖｓｓ（例えば、接地電位ＧＮＤ＝０Ｖ）又は共通電圧Ｖｃｏｍ（例えば、−１０Ｖ）を印加する。
【００５５】
次に、上記構成を有する有機ＥＬ表示装置１の動作について説明する。
【００５６】
この表示装置の動作は、トランジスタＴ２２のソース−ドレイン間の電圧降下を求めるトランジスタ抵抗取得動作と、発光効率ηを求める発光効率取得動作と、求めた発光効率ηとトランジスタＴ２２のソース−ドレイン間の電圧降下を用いて画像を表示する表示動作とを含み、例えば、電源立ち上げ時等の所定のタイミングで実行される。
【００５７】
システムコントローラ６は、例えば、電源立ち上げ時のイニシャライズ処理等終了後、トランジスタ抵抗取得工程の動作を実行する。トランジスタ抵抗取得工程について図５を参照して説明する。
【００５８】
トランジスタ抵抗取得工程は、現状の、画素駆動回路２０ＤのトランジスタＴ２２のソース−ドレイン間の電圧降下を求めるため、トランジスタＴ２２のソース−ドレイン間の抵抗を取得するものである。画素駆動回路２０ＤのトランジスタＴ２２は、使用により経時劣化してソース−ドレイン間の電圧降下が変化することがあるため、画素駆動回路２０ＤのトランジスタＴ２２のソース−ドレイン間の電圧降下を正確に把握したうえで補正後の電圧データを求め、これにより表示動作をすることで、現状の劣化した有機ＥＬ素子ＯＥＬを初期の輝度で発光させる必要がある。トランジスタ抵抗取得工程においては、ダミー画素２１（ｎ，１）〜（ｎ，ｍ）を駆動して、現状の、画素駆動回路２０ＤのトランジスタＴ２２のソース−ドレイン間の抵抗Ｒを求める。
【００５９】
まず、システムコントローラ６は、セレクトドライバ３と、電源ドライバ４と、データドライバ５とカソード回路８とにトランジスタ抵抗取得工程を指示する。
【００６０】
この制御に従って、セレクトドライバ３は、ダミー画素２１（ｎ，１）〜２１（ｎ，ｍ）を選択するために、セレクトラインＬｓｎに高電位のハイレベル電圧Ｖｈｉｇｈを印加し、他のセレクトラインＬｓ１〜Ｌｓｎ−１に低電位のロウレベル電圧Ｖｌｏｗを印加する。
【００６１】
電源ドライバ４は、全ての電源ラインＬｖ１〜Ｌｖｎに共通電圧Ｖｃｏｍ（例えば、−１０Ｖ）を印加する。
【００６２】
データドライバ５は、全てのデータラインＬｄ１〜Ｌｄｍに同一電位の設定電圧Ｖｄ（例えば、−３Ｖ）を印加する。
【００６３】
カソード回路８は、スイッチ１３１を操作して、電流計７の他端に、共通電圧Ｖｃｏｍ（例えば、−１０Ｖ）を印加する。
【００６４】
すると、第ｎ行のダミー画素２１（ｎ，１）〜２１（ｎ，ｍ）のトランジスタＴ２２がオンし、データラインＬｄ１〜Ｌｄｎに−３Ｖが印加され、カソード回路８に−１０Ｖが印加されていることから、トランジスタＴ２２のソース−ドレイン間に測定電圧Ｖｍとして７Ｖの電圧が印加されて、電流が流れる。
【００６５】
これに対して、第１行〜第ｎ−１行の表示画素２０（１，１）〜２０（ｎ−１，ｍ）に関しては、トランジスタＴ２１，Ｔ２２、Ｔ２３が全てオフとなる。このため、第１行〜第ｎ−１行の表示画素２０（１，１）〜２０（ｎ−１，ｍ）に電流は流れない。
各ダミー画素２１（ｎ，１）〜２１（ｎ，ｍ）のトランジスタＴ２１はオンするが、トランジスタＴ２３は、ソースと電流計７の他端とが共に共通電圧Ｖｃｏｍ（−１０Ｖ）で同電位であるため、トランジスタＴ２３のソース−ドレイン間には電流は流れない。
【００６６】
すなわち、電流計７を流れる電流は、第ｎ行のダミー画素２１（ｎ，１）〜２１（ｎ，ｍ）のトランジスタＴ２２のソース−ドレイン間に流れる電流だけである。なお、電源ラインＬｖ１〜Ｌｖｎと電流計７の他端とに共通電圧Ｖｃｏｍが印加されて同電位に設定されるとしたが、同電位であることに限るものではない。要するに、トランジスタＴ２３から有機ＥＬ素子ＯＥＬを介して電流が流れなければよいので、電源ラインＬｖ１〜Ｌｖｎと電流計７の他端との間の電位差が少なくとも有機ＥＬ素子ＯＥＬに電流が流れ始める閾値電圧より小さければよい。
【００６７】
電流計７は、全てのデータラインに設定電圧Ｖｄ（−３Ｖ）を印加したときに、第ｎ行のｍ個のダミー画素２１（ｎ，１）〜２１（ｎ，ｍ）の各々に流れる電流の総和となる総測定電流Ｉｍａを測定する。そして、発光効率取得部５７は、ｍ個のダミー画素２１（ｎ，１）〜２１（ｎ，ｍ）のトランジスタＴ２２のソース−ドレイン間の各々に流れる電流の電流値の平均値として、総測定電流Ｉｍａの電流値の１／ｍを、測定電流Ｉｍとして取得する。
【００６８】
電流計７により測定された総測定電流Ｉｍａの測定値は、ＡＤＣ５６に供給される。
【００６９】
ＡＤＣ５６は、総測定電流Ｉｍａの測定値をデジタルデータに変換し、発光効率取得部５７に供給する。
【００７０】
発光効率取得部５７は、総測定電流Ｉｍａの電流値の１／ｍを、１個のダミー画素２１に対する測定電流Ｉｍとして取得し、抵抗値テーブルを参照して、１個のダミー画素２１のトランジスタＴ２２のソース−ドレイン間における抵抗値ＲＴを求める。
【００７１】
すなわち、トランジスタＴ２２のソース−ドレイン間における抵抗値ＲＴは、トランジスタＴ２２のソース−ドレイン間に印加される測定電圧をＶｍとすると、Ｖｍ／Ｉｍである。
【００７２】
具体的には、データドライバ５に−３Ｖ、カソード回路８に−１０Ｖが印加されている場合、トランジスタＴ２２のソース−ドレイン間に印加される測定電圧Ｖｍは７Ｖなので、トランジスタＴ２２のソース−ドレイン間における抵抗値ＲＴは、７／Ｉｍである。抵抗値テーブルには、この測定電流Ｉｍの電流値に対応する抵抗値ＲＴの値が記憶されており、測定電流Ｉｍの電流値で抵抗値テーブルを引いて、抵抗値ＲＴの値を取得する。
【００７３】
取得された抵抗値ＲＴは、メモリ５８に格納され、トランジスタ抵抗取得工程を終了する。
【００７４】
トランジスタ抵抗取得工程を終了すると、次に、発光効率取得工程を実行する。
この発光効率取得動工程は、有機ＥＬ素子ＯＥＬの経時劣化による表示の劣化を補償するために使用される発光効率ηを求める動作である。発光効率取得工程について図６及び図７を参照して説明する。
【００７５】
システムコントローラ６は、セレクトドライバ３と、電源ドライバ４と、データドライバ５とカソード回路８とに制御信号を供給し、発光効率取得動作の開始を指示する。
【００７６】
この制御に従って、セレクトドライバ３は、図２（Ａ）〜図２（Ｄ）と同様に、図６（Ａ）〜図６（Ｄ）に示すように、セレクトラインＬｓ１〜Ｌｓｎに、測定期間ｔｍの間には高電位のハイレベル電圧Ｖｈｉｇｈ（選択レベル）となり、それ以外の期間には低電位のロウレベル電圧Ｖｌｏｗ（非選択レベル）となる走査信号を順次出力する。ここで、測定期間ｔｍは、１行分のｍ個の表示画素２０（１，１）〜２０（１，ｍ）に対する、後述する電流計７による検出電流（検出電流）Ｉｄの測定に要する時間に設定される。
【００７７】
また、電源ドライバ４は、トランジスタ抵抗取得工程時と同様に、全ての電源ラインＬｖ１〜Ｌｖｎに共通圧Ｖｃｏｍ（−１０Ｖ）を印加する。
【００７８】
データドライバ５は、図６（Ｅ）〜図６（Ｈ）に示すように、測定期間ｔｍの間に、データラインＬｄ１〜Ｌｄｍに、電圧印加期間ｔｄの間には、設定電圧Ｖｄ（−３Ｖ）となり、それ以外の、間隔期間ｔｐを除く期間には共通電圧Ｖｃｏｍ（−１０Ｖ）となり、間隔期間ｔｐには例えば基準電圧Ｖｓｓとなる電圧を順次出力する。ここで、電圧印加期間ｔｄは、１個の画素２１に対する電流計７による検出電流（検出電流）Ｉｄ（１，１）の測定に必要な時間に設定される。なお、間隔期間ｔｐを有さない構成としてもよい。
【００７９】
カソード回路８は、トランジスタ抵抗取得工程時と同様に、電流計７の他端に、共通電圧Ｖｃｏｍ（−１０Ｖ）を印加する。
【００８０】
ここで、本実施形態における、表示画素２０（１，１）の有機ＥＬ素子ＯＥＬの発光効率η（１，１）を取得する発光効率取得動作について、図６及び図７を参照して説明する。図７は、第１行第１列の表示画素２０（１，１）について検出電流Ｉｄを測定するときの状態を示したものである。このとき、セレクトドライバ３は、第１行のセレクトラインＬｓ１にハイレベル電圧Ｖhighを印加し、他のセレクトラインＬｓ２〜Ｌｓｎにロウレベル電圧Ｖlowを印加する。そして、データドライバ５は、第１列のデータラインＬｄ１に設定電圧Ｖｄとして例えば−３Ｖを印加し、他のデータラインＬｄ２〜Ｌｄｍに共通電圧Ｖｃｏｍとして例えば−１０Ｖを印加する。これにより、図７に示すように、第１行第１列の表示画素２０（１，１）のトランジスタＴ２２がオンし、第１列のデータラインＬｄ１に−３Ｖが印加され、カソード回路８に−１０Ｖが印加されるため、有機ＥＬ素子ＯＥＬのアノード・カソード間に、測定電圧Ｖｍとして、ほぼ７Ｖの電圧が印加され、トランジスタＴ２２と有機ＥＬ素子ＯＥＬの直列回路に検出電流Ｉｄ（１，１）が流れる。
【００８１】
一方、第１行の第２列から第ｍ列の画素２１については、トランジスタＴ２２はオンするが、データ電圧が共通電圧Ｖｃｏｍ（−１０Ｖ）で、カソード回路８において電流計７の他端に印加されている共通電圧Ｖｃｏｍと同電位のため、電流は流れない。なお、データ電圧と電流計７の他端とが共通電圧Ｖｃｏｍに設定されて、同電位に設定されるとしたが、同電位であることに限るものではない。要するに、トランジスタＴ２２から有機ＥＬ素子ＯＥＬを介して電流が流れなければよいので、データ電圧と電流計７の他端との間の電位差が少なくとも有機ＥＬ素子ＯＥＬに電流が流れ始める閾値電圧より小さければよい。
【００８２】
また、各画素のトランジスタＴ２１はオンするが、トランジスタＴ２３は、ソースと電流計７の他端とが共に共通電圧Ｖｃｏｍ（−１０Ｖ）で同電位であるため、電流は流れない。なお、電源ラインＬｖ１〜Ｌｖｎと電流計７の他端とに共通電圧Ｖｃｏｍが印加されて同電位に設定されるとしたが、同電位であることに限るものではない。要するに、トランジスタＴ２３から有機ＥＬ素子ＯＥＬを介して電流が流れなければよいので、電源ラインＬｖ１〜Ｌｖｎと電流計７の他端との間の電位差が少なくとも有機ＥＬ素子ＯＥＬに電流が流れ始める閾値電圧より小さければよい。
【００８３】
さらに、第２行〜第ｎ行の全画素に関しては、トランジスタＴ２１，Ｔ２２、Ｔ２３が全てオフとなる。このため、有機ＥＬ素子ＯＥＬに電流は流れない。
【００８４】
すなわち、電流計７を流れる検出電流Ｉｄ（１，１）は、第１行第１列の表示画素２０（１，１）のトランジスタＴ２２と有機ＥＬ素子ＯＥＬの直列回路に流れる電流だけである。
【００８５】
この検出電流Ｉｄ（１，１）は電流計７により測定され、測定値がＡＤＣ５６に供給される。
【００８６】
ＡＤＣ５６は、検出電流Ｉｄ（１，１）をデジタルデータに変換し、発光効率取得部５７に供給する。
【００８７】
発光効率取得部５７は、トランジスタ抵抗取得工程により取得された抵抗値ＲＴおよび検出電流Ｉｄ（１，１）から、電圧値テーブルを参照して、有機ＥＬ素子ＯＥＬに印加されている印加電圧Ｖｅｌを取得する。
【００８８】
すなわち、有機ＥＬ素子ＯＥＬに印加されている電圧Ｖｅｌは以下の式となる。
Ｖｅｌ＝Ｖｍ−ＲＴ×Ｉｄ（１，１）
【００８９】
電圧値テーブルには、抵抗値ＲＴの値に対する検出電流Ｉｄ（１，１）の電流値と印加電圧Ｖｅｌの電圧値との対応関係が記憶されており、検出電流Ｉｄの電流値と抵抗値ＲＴの値から電圧値テーブルを引いて、印加電圧Ｖｅｌの電圧値を取得する。
【００９０】
次いで、印加電圧Ｖｅｌに対する検出電流Ｉｄ（１，１）と初期電流ＩＦとから、検出電流Ｉｄ（１，１）の初期電流ＩＦに対する変化率（Ｉｄ（１，１）／ＩＦ）を算出する。
そして、検出電流Ｉｄ（１，１）の初期電流ＩＦに対する変化率の値から発光効率テーブルを引いて、発光効率η（１，１）の値を取得する。
【００９１】
取得された表示画素２０（１，１）の有機ＥＬ素子ＯＥＬの発光効率η（１，１）は、当該表示画素２０（１，１）に対応してメモリ５８に格納される。
【００９２】
本実施形態の有機ＥＬ表示装置１は、１つの表示画素２０（１，１）に対する以上の動作を表示パネル２の全ての表示画素２０（ｉ，ｊ）（ｉ＝１〜ｎ−１，ｊ＝１〜ｍ）に対して実行して、全ての表示画素２０（１，１）〜２１（ｎ−１，ｍ）の有機ＥＬ素子ＯＥＬについて発光効率η（１，１）〜η（ｎ−１，ｍ）を取得し、表示画素２０（１，１）〜２０（ｎ−１，ｍ）に対応して発光効率η（１，１）〜η（ｎ−１，ｍ）がメモリ５８に格納される。
【００９３】
すなわち、まず、図６（Ａ）に示すように、セレクトドライバ３が、第１行のセレクトラインＬｓ１に高電圧Ｖhighを印加し、他のセレクトラインＬｓ２〜Ｌｓｎに低電圧Ｖlowを印加した状態で、図６（Ｅ）〜図６（Ｈ）に示すように、データラインＬｄ１〜Ｌｄｍに、電圧印加期間ｔｄ毎に、設定電圧Ｖｄ（−３Ｖ）を順次印加する。これにより、上記一つの表示画素２０に対する発光効率取得動作と同様にして、第１行のｍ個の表示画素２０（１，１）〜２０（１，ｍ）の有機ＥＬ素子ＯＥＬについての発光効率η（１，１）〜η（１，ｍ）を取得し、表示画素２０（１，１）〜２０（１，ｍ）に対応して発光効率η（１，１）〜η（１，ｍ）がメモリ５８に格納される。
【００９４】
次いで、図６（Ｂ）に示すように、セレクトドライバ３が、第２行のセレクトラインＬｓ２に高電圧Ｖhighを印加し、他のセレクトラインＬｓ１、Ｌｓ３〜Ｌｓｎに低電圧Ｖlowを印加した状態で、図６（Ｅ）〜図６（Ｈ）に示すように、データラインＬｄ１〜Ｌｄｍに、電圧印加期間ｔｄ毎に、設定電圧Ｖｄ（−３Ｖ）を順次印加する。これにより、第２行のｍ個の各表示画素２０（２，１）〜２０（２，ｍ）の有機ＥＬ素子ＯＥＬについての発光効率η（２，１）〜η（２，ｍ）を取得し、各表示画素２０（２，１）〜２０（２，ｍ）に対応して発光効率η（２，１）〜η（２，ｍ）がメモリ５８に格納される。
【００９５】
以下、第ｎ−１行まで同様の動作を繰り返すことにより、全ての表示画素２０（１，１）〜２０（ｎ−１，ｍ）の有機ＥＬ素子ＯＥＬについての発光効率ηを取得して、各表示画素２０（１，１）〜２０（ｎ−１，ｍ）に対応して発光効率η（１，１）〜η（ｎ−１，ｍ）がメモリ５８に格納される。メモリ５８に全ての表示画素２０（１，１）〜２０（ｎ−１，ｍ）の発光効率η（１，１）〜η（ｎ−１，ｍ）が格納されると、システムコントローラ６は、発光効率取得工程を終了する。
【００９６】
次いで、取得した発光効率η（１，１）〜η（ｎ−１，ｍ）を用いた補正を行って画像を表示する表示動作について説明する。
【００９７】
システムコントローラ６は、表示動作を行う際、カソード回路８のスイッチ１３１を切り替えて、電流計７の他端に基準電圧Ｖｓｓを印加する。
【００９８】
続いて、システムコントローラ６は、図示せぬ垂直同期信号に応答して、セレクトドライバ３に、図２（Ａ）〜（Ｄ）に示すように、走査信号を出力させ、電源ドライバ４に図２（Ｅ）〜（Ｈ）に示すように、電圧信号を出力させる。
【００９９】
また、システムコントローラ６は、データドライバ５に表示動作を実行させるための制御信号を出力する。
【０１００】
この制御信号に応答して、シフトレジスタ回路５０は、シフト信号をデータレジスタ回路５１に供給する。
【０１０１】
データレジスタ回路５１は、シフトレジスタ回路５０から供給されるシフト信号に応答して、画像データＤ１〜Ｄｍを順次取り込んでシフトし、１行分のデータが格納されると、データラッチ回路５２が、これをラッチして保持する。
【０１０２】
補正演算部５３は、データラッチ回路５２に保持されている画像データＤ１〜Ｄｍを読み出して、画像データに対応した電圧データを、画像データに応じた発光輝度を得るためにデ−タラインＬｄ１〜Ｌｄｍに印加すべき電圧値を有する補正電圧データに補正する。電圧データは、基本的に、有機ＥＬ素子の初期特性に基づいて定められている。
【０１０３】
補正演算部５３は、現状の劣化した有機ＥＬ素子ＯＥＬが初期状態時と同等の輝度で発光できるように、各電圧データに、例えば、メモリ５８に格納されている各表示画素２０に対応した発光効率ηの逆数（１／η）を乗算し、電圧デ−タを補正する。
【０１０４】
より詳細に説明すると、発光効率ηは、経時劣化などの原因により、一定の電流値の電流を有機ＥＬ素子ＯＥＬに流したときの、有機ＥＬ素子ＯＥＬの発光輝度の初期状態に対する低下率を示している。したがって、初期状態時と同等の発光輝度を得るためには、有機ＥＬ素子ＯＥＬに流す電流の電流値を初期状態での電流値の１／η倍にすればよい。このために、表示画素２０に対する印加電圧を（１／η）倍すれば、有機ＥＬ素子ＯＥＬを流れる電流を（１／η）倍することができる。
【０１０５】
補正演算部５３は、メモリ５８から発光効率η（１，ｊ）（ｊ＝１〜ｍ）を読み出し、電圧データに１／η（１，ｊ）（ｊ＝１〜ｍ）を乗算して、電圧データを補正した補正電圧データを生成して出力する。
【０１０６】
ＤＡＣ５４は、例えば、補正演算部５３が出力した補正電圧デ−タをアナログ電圧に変換し、出力回路５５は、アナログ電圧を各データラインＬｄ１〜Ｌｄｍに出力して、表示画素２０（１，１）〜２０（１，ｍ）に印加する。
【０１０７】
これにより、表示画素２０（１，１）〜２０（１，ｍ）に、補正しない場合と比較して、それぞれ対応した発光効率η（１，１）〜η（１，ｍ）の逆数である１／η（１，ｊ）（ｊ＝１〜ｍ）を乗算した補正電圧データが印加され、この補正電圧データに対応する電圧がコンデンサＣ１に保持される。これにより、表示画素２０（１，１）〜２０（１，ｍ）の有機ＥＬ素子ＯＥＬに、それぞれ対応してほぼ１／η（１，ｊ）（ｊ＝１〜ｍ）倍の電流が流れ、表示画素２０（１，１）〜２０（１，ｍ）について初期状態時と同等の発光輝度での表示がなされる。
【０１０８】
次に、セレクトドライバ３が、第２行のセレクトラインＬｓ２を選択し、データレジスタ回路５１は画像データＤ１〜Ｄｍを順次取り込んでシフトし、１行分のデータが格納されると、データラッチ回路５２が、これをラッチして保持する。続いて、補正演算部５３は、メモリ５８に格納されている表示画素２０（２，１）〜２０（２，ｍ）に対応した発光効率η（２，１）〜η（２，ｍ）の逆数である１／η（２，ｊ）（ｊ＝１〜ｍ）を乗算して、電圧デ−タを補正する。ＤＡＣ５４は、例えば、補正演算部５３が出力した補正電圧デ−タをアナログ電圧に変換し、出力回路５５は、アナログ電圧を各データラインＬｄ１〜Ｌｄｍに出力して、表示画素２０（２，１）〜２１（２，ｍ）に印加する。これにより、表示画素２０（２，１）〜２０（２，ｍ）について初期状態時と同等の発光輝度での表示がなされる。
以下、第ｎ−１行まで同様の動作を繰り返すことにより、全ての行で補正電圧デ−タに対応する電圧を各データラインＬｄ１〜Ｌｄｍに出力し、よって、全ての表示画素２０（１，１）〜２０（ｎ−１，ｍ）について初期状態時と同等の発光輝度での表示がなされる。
【０１０９】
以上説明したように、本実施の形態によれば、発光効率η（ｉ，ｊ）（ｉ＝１〜ｎ−１，ｊ＝１〜ｍ）を求めておき、表示動作時に、電圧データに１／η（ｉ，ｊ）（ｉ＝１〜ｎ−１，ｊ＝１〜ｍ）を乗算して補正し、補正後の補正電圧データに対応する電圧を表示画素２０（１，１）〜２０（ｎ−１，ｍ）に印加することにより、経時劣化が起こったとしても、同一の画像データに対して、有機ＥＬ素子に、経時劣化が発生した後でも初期状態とほぼ同一の電流が流れる。従って、同一の画像データに対して、経時劣化に関わらず、初期状態時と同等の表示（発光）を行うことができる。
なお、上記において、トランジスタ抵抗取得工程では抵抗値テーブルを参照して抵抗値ＲＴの値を取得し、発光効率取得工程において電圧値テーブルを参照して有機ＥＬ素子ＯＥＬに印加されている印加電圧Ｖｅｌの電圧値を取得する構成としたが、これに限るものではなく、このようなルックアップテーブルを用いず、その都度、計算処理を行って抵抗値ＲＴの値や印加電圧Ｖｅｌの電圧値を演算によって取得する構成であってもよい。しかしながら、通常、ルックアップテーブルを用いた方がそれぞれの値の取得に要する時間が短縮されるので、ルックアップテーブルを用いる方が好ましい。
【０１１０】
（変形例）
その他、図８に示すように、各行のｍ個の表示画素２０（１，１）〜２０（１，ｍ）を選択し、全データラインＬｄ１〜Ｌｄｍに設定電圧Ｖｄを印加して、各行のｍ個の表示画素２０（１，１）〜２０（１，ｍ）の有機ＥＬ素子ＯＥＬに電流を流し、その総検出電流Ｉｄａの電流値を測定して、測定した電流値をｍで除算することで、各有機ＥＬ素子ＯＥＬに流れる検出電流Ｉｄの平均値を計算し、この各有機ＥＬ素子ＯＥＬに流れる検出電流Ｉｄの平均値に基づいて発光効率ηを求めるようにしても良い。この場合、発光効率取得工程に要する時間を短縮することができる。
【０１１１】
（変形例）
上記実施の形態で示した、各種電圧は、例示であり、表示動作時には、選択された画素への書き込み動作と非選択行の画素の発光動作を適切に行うことができ、発光効率取得動作時には、有機ＥＬ素子流れる電流を測定できるならば、その電圧関係は任意である。
【０１１２】
例えば、表示動作時には、（１）選択対象の行の表示画素２０のトランジスタＴ２１とＴ２２をオンさせ、非選択行の表示画素２０のトランジスタＴ２１とＴ２２をオフさせるようなハイレベル電圧Ｖhighとロウレベル電圧ＶlowをセレクトラインＬｓに印加し、（２）選択対象の行の表示画素２０のトランジスタＴ２３をオンさせ、非選択行の表示画素２０のトランジスタＴ２３をオフさせるような電圧ＶccとＶssを電源ラインＬｖに印加し、（３）カソード回路８のスイッチ１３１を操作して所定の電圧を印加し、（４）各データラインＬｄに印加する電圧を、所定電圧以上の階調に対応する電圧とし、
発光効率取得動作時に、（１）電流を流す予定の単数又は複数の画素が位置する行の表示画素２０のトランジスタＴ２２をオンさせ、他の行の画素のトランジスタＴ２２をオフさせ、（２）全ての画素のトランジスタＴ２１のトランジスタＴ２３に電流が流れず（例えば、電源ラインＬｖの電圧とスイッチ１３１を介して電流計７の他端に印加される電圧が等しく）、（３）電流を流す予定の単数又は複数の画素が位置する列のデータラインＬｄに印加する電圧が電流計７の他端に印加される電圧よりも高く、他の列のデータラインＬｄに印加する電圧と電流計７の他端に印加される電圧と等しい、
という条件が成立するならば、その電圧関係は任意である。
【０１１３】
例えば、図９（ａ）（ｂ）に示すように、回路内の電圧を正電圧で構成することも可能である。
図示するように、
（通常表示動作時）
ｉ）セレクトラインＬｓに印加するＶhigh＝１５Ｖ、Ｖlow＝０Ｖ（ＧＮＤ）、
ii）電源ラインＬｖに印加する電圧Ｖｃｃを＋１５Ｖ，電圧Ｖｓｓを＋１０Ｖ、
iii）データラインＬｄに印加する電圧を＋１０Ｖ〜接地電圧の間の階調に応じた電圧、
を印加し、
（発光効率取得動作時、トランジスタ抵抗取得動作時）
ｉ）電流を流す予定の単数又は複数の画素が位置する行のセレクトラインＬｓに印加するＶhigh＝１５Ｖ、他の行の画素２１が位置する行のセレクトラインに印加するＶlow＝０Ｖ（ＧＮＤ）を印加し、
ii）全ての電源ラインＬｖに０Ｖ（接地電位）を印加し、
iii）カソード回路８のスイッチ１３１を操作して、電流計７の他端に印加する電圧を０Ｖとし、
iv）電流を流す予定の単数又は複数の画素が位置する列のデータラインＬｄに印加する電圧を０Ｖより大きい電圧、
を印加する。
【０１１４】
このような複数の電圧は、例えば、１５ＶのＤＣ電源と１０ＶのＤＣ電源を、図９（ｃ）に示すように接続することにより、生成可能である。
【０１１５】
尚、本発明を実施するにあたっては、種々の形態が考えられ、上記実施形態に限られるものではない。
【０１１６】
例えば、上記実施形態では、発光素子を有機ＥＬ素子として説明した。しかし、発光素子は、有機ＥＬ素子に限られるものではなく、例えば、無機ＥＬ素子又はＬＥＤであってもよい。
【０１１７】
＜電子機器の適用例＞
次に、上述した各実施形態に係る有機ＥＬ表示装置を適用した電子機器について図面を参照して説明する。
【０１１８】
上述した各実施形態に示した有機ＥＬ表示装置１は、例えばデジタルカメラ、パーソナルコンピュータ、携帯電話機等、種々の電子機器の表示デバイスとして良好に適用できるものである。
【０１１９】
図１０は、本発明に係る有機ＥＬ表示装置を適用したデジタルカメラの構成例を示す斜視図であり、図１１は、本発明に係る有機ＥＬ表示装置を適用したパーソナルコンピュータの構成例を示す斜視図であり、図１２は、本発明に係る有機ＥＬ表示装置を適用した携帯電話機の構成例を示す斜視図である。
【０１２０】
図１０において、デジタルカメラ２００は、図１０（ａ）及び（ｂ）に示すように、レンズ部２０１と操作部２０２と表示部２０３とファインダー２０４とを備える。この表示部２０３に上記各実施形態に示した有機ＥＬ表示装置１が適用される。これによれば、表示部２０３において、画像データに応じた適切な輝度で発光動作させることができ、画質を向上させることができる。
【０１２１】
図１１において、パーソナルコンピュータ２１０は、表示部２１１と操作部２１２とを備え、この表示部２１１に上記各実施形態に示した有機ＥＬ表示装置１が適用される。これによれば、表示部２１１において、画像データに応じた適切な輝度で発光動作させることができ、画質を向上させることができる。
【０１２２】
図１２に示す携帯電話機２２０は、表示部２２１と、操作部２２２と、受話部２２３と送話部２２４とを備え、この表示部２２１に発光装置１０上記各実施形態に示した有機ＥＬ表示装置１が適用される。これによれば、表示部２２１において、画像データに応じた適切な輝度で発光動作させることができ、画質を向上させることができる。
なお、上述した各実施形態においては、有機ＥＬ表示装置が、複数の画素が二次元配列された表示パネルを備えて構成される場合について詳しく説明したが、本発明はこれに限定されるものではない。本発明に係る構成を、例えば発光素子を有する複数の画素が一方向に配列された発光素子アレイを備えて、感光体ドラムに画像データに応じて発光素子アレイから出射した光を照射して露光する露光装置に適用するものであってもよい。
【符号の説明】
【０１２３】
１…有機ＥＬ表示装置、２…表示パネル、３…セレクトドライバ、４…電源ドライバ、５…データドライバ、６…システムコントローラ、７…電流計、８…カソード回路、２０…ダミー画素、２１…表示画素、５０…シフトレジスタ回路、５１…データレジスタ回路、５２…データラッチ回路、５３…補正演算部、５４…デジタル電圧／アナログ電圧変換回路（ＤＡＣ）、５５…出力回路、５６…アナログ電圧／デジタル電圧変換回路（ＡＤＣ）、５７…発光効率取得部、５８…メモリ、１３１…スイッチ、２００…デジタルカメラ、２０１…レンズ部、２０２…操作部、２０３…表示部、２０４…ファインダー、２１０…パーソナルコンピュータ、２１１…表示部、２１２…操作部、２２０…携帯電話機、２２１…表示部、２２２…操作部、２２３…受話部、２２４…送話部
【図１】
2012073498.tif 000003
【図２】
2012073498.tif 000004
【図３】
2012073498.tif 000005
【図４】
2012073498.tif 000006
【図５】
2012073498.tif 000007
【図６】
2012073498.tif 000008
【図７】
2012073498.tif 000009
【図８】
2012073498.tif 000010
【図９】
2012073498.tif 000011
【図１０】
2012073498.tif 000012
【図１１】
2012073498.tif 000013
【図１２】
2012073498.tif 000014